【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
患者身体の少なくとも一部を中で受けるための内側空間を画定する封入部を含み、
上記封入部は、上記内側空間の中へ熱移動液体を受けて患者身体と直接液体接触させて患者身体全体に流し患者身体と上記熱移動液体との間の熱移動を促進する入口と、封入部の内側空間と流体連絡し封入部から上記熱移動液体を排出する出口を有し、
上記封入部は、液体不浸透性外側層と、身体面層を含む多孔層を含み、
上記多孔層は、封入部全体に上記液体を運ぶことができることを特徴とする
患者の身体温度を調整するための装置。
【請求項２】
上記封入部が患者身体と概略接触していることを特徴とする請求項１に記載の装置。
【請求項３】
上記熱移動液体を封入部の入口を経由し内側空間の中に流し封入部の出口に到るように仕向ける液体配布システムを、更に含むことを特徴とする請求項１に記載の装置。
【請求項４】
液体配布システムが封入部の内側空間内部で加圧するように操作可能であることを特徴とする請求項３に記載の装置。
【請求項５】
封入部を取り囲み、上記封入部の外方への拡張を限定し封入部内部の患者身体の一部への圧力を与える少なくとも１本のストラップを、更に含むことを特徴とする請求項４に記載の装置。
【請求項６】
上記の少なくとも１本のストラップは、患者身体の特定の部位と係合できる封入部の特定部位と係合し、患者身体の特定領域に圧力を加えるために、選択して配置され得ることを特徴とする請求項５に記載の装置。
【請求項７】
封入部の内側空間内部のゲージ圧力が、約０キロパスカル（０ポンド／平方インチ）と約２８キロパスカル（４ポンド／平方インチ）との間であることを特徴とする請求項４に記載の装置。
【請求項８】
上記封入部を取り囲むジャケットを更に含み、
上記ジャケットは封入部よりも弾性が無く、封入部の上記内側空間に圧力を加える際に封入部の拡張を阻止するように適合されていることを特徴とする請求項４に記載の装置。
【請求項９】
上記封入部は、シート状の身体面部を含み、
上記のシート状の身体面部とシート状液体不浸透外側面部は、互いに向かい合わせて係合するように適合され、
上記面部は更に、それらの対向する側面に沿って互いに接合し、面部間に少なくとも一つの液体通路を形成し、
上記液体通路は、液体を受けるため入口と流体連絡する形状及びサイズであり、
上記身体面部は更に、液体が液体通路から身体面部と患者身体部位との間を通過できるように、液体通路に対応する開口部を内部に少なくとも一つ有する
ことを特徴とする請求項３に記載の装置。
【請求項１０】
上記液体通路は更に、少なくとも１本の主要液体通路と、その主要液体通路から伸展する少なくとも２本の第２の液体通路を含むことを特徴とする請求項９に記載の装置。
【請求項１１】
上記の患者身体の少なくとも一部が、患者の胴、腕及び脚を含む患者の首から下の患者身体を含み、
主要液体通路が、患者身体の中心線から外れた位置で上記患者の胴に係合するように構成されていることを特徴とする請求項１０に記載の装置。
【請求項１２】
上記封入部は、上記入口と流体連絡する少なくとも一つの液体通路を含み上記通路の中に液体を受け、
上記封入部は液体通路と流体連絡する少なくとも一つの開口部を内部に有し、液体を液体通路から封入部と患者身体の部位との間まで通すことを特徴とする請求項３に記載の装置。
【請求項１３】
液体配布システムは、出口から排出される液体が上記入口に戻り封入部の内側空間の中に流入する、概略閉じた連続流システムであることを特徴とする請求項３に記載の装置。
【請求項１４】
液体が封入部を出た後に計測される出口温度から、液体が封入部に入る前に計測される入口温度に液体温度を変更するための液体配布システムと流体連絡する熱交換器を更に含み、
液体は、熱交換器を通過した後、封入部の中に再注入されることを特徴とする請求項１３に記載の装置。
【請求項１５】
上記熱交換器が更に、相変化部材を含むことを特徴とする請求項１４に記載の装置。
【請求項１６】
携帯自在制御ユニットを更に含み、
上記携帯自在制御ユニットは、上記液体配布システム、電力源、制御システム、ユーザーインターフェースを含み、
液体配布システムに動力を与え制御することを特徴とする請求項１３に記載の装置。
【請求項１７】
上記液体配布システムが更に、患者身体と係合し患者の温度を制御システムに送る温度センサを含むことを特徴とする請求項１６に記載の装置。
【請求項１８】
封入部が患者の上記部位に概略順応するように適合されていることを特徴とする請求項２に記載の装置。
【請求項１９】
封入部入口と封入部出口が、上記封入部の内側空間内部に患者身体を封入する際に、患者身体の上記部位の対向する側に配置されるように、
封入部入口と封入部出口が、封入部の概略対向する側に配置されることを特徴とする請求項２に記載の装置。
【請求項２０】
上記封入部が上方部材を含み、上記上方部材の少なくとも一部が透明であることを特徴とする請求項１に記載の装置。
【請求項２１】
上記の患者身体の少なくとも一部が、胴、腕及び脚を含む、患者の首から下方の患者身体を含むことを特徴とする請求項２に記載の装置。
【請求項２２】
上記封入部が、封入部の内側空間にアクセスするためのシール自在の開口部を含むことを特徴とする請求項２１に記載の装置。
【請求項２３】
上記封入部がシール自在の開口部をシールするためのピボット自在のフラップを含むことを特徴とする請求項２２に記載の装置。
【請求項２４】
上記のシール自在の開口部は、患者の第２の身体部位周りで締められ、これにより第１の部位を実質的に密閉して封入しつつも、上記第２の身体部位が封入部の外部に伸展できることを特徴とする請求項２２に記載の装置。
【請求項２５】
上記液体が患者身体の部位の温度より低い温度を有し、液体が上記患者の身体部位を冷却することを特徴とする請求項２に記載の装置。
【請求項２６】
上記液体温度が、約１℃（３４°Ｆ）から約２℃（３６°Ｆ）の範囲であることを特徴とする請求項２５に記載の装置。
【請求項２７】
上記液体が患者身体の部位の温度より高い温度を有し、液体が上記患者の身体部位を暖めることを特徴とする請求項２に記載の装置。
【請求項２８】
上記液体温度が、約４３℃（１０９°Ｆ）から約４７℃（１１７°Ｆ）の範囲であることを特徴とする請求項２７に記載の装置。
【請求項２９】
上記封入部は更に、上記封入部内部で受容される上記身体部位と共に上記封入部を持ち上げるハンドルを含むことを特徴とする請求項２に記載の装置。
【請求項３０】
上記封入部は更に、メッシュ状身体面層を含み、上記多孔層は上記液体不浸透性外側層と上記身体面層との間に配置された芯の層を含み、
上記芯の層は、上記液体を封入部全体に運ぶことができることを特徴とする請求項２に記載の装置。
【請求項３１】
上記芯の中間層は、ポリエステルの芯を含むことを特徴とする請求項３０に記載の装置。
【請求項３２】
上記メッシュ状層はナイロンスクリーンを含むことを特徴とする請求項３０に記載の装置。
【請求項３３】
上記多孔層は、身体面層を含む芯の層を含み、
上記芯の層は、上記液体を封入部全体に運ぶことができることを特徴とする請求項２に記載の装置。
【請求項３４】
患者の頭部と係合し、患者の頭部と接触する熱移動液体を循環させる頭部冷却デバイスを更に含むことを特徴とする請求項２に記載の装置。
【請求項３５】
上記頭部に直接接触する液体の経路となる上記頭部冷却デバイスを経由する入口と、頭部冷却デバイスから液体を排出する経路となる上記頭部冷却デバイスを経由する出口を、更に含むことを特徴とする請求項３４に記載の装置。
【請求項３６】
封入部の内側空間内部で患者身体の少なくとも一部を実質的にシールして封入するステップと、
熱移動液体を、患者身体と直接液体接触させて内側空間内部に流し患者身体と熱移動液体との間の熱移動を促進するように仕向けるステップと
を含む患者の身体温度を制御するための方法。
【請求項３７】
熱移動液体を、封入部の入口から封入部の内側区間を経由して出口まで流すように仕向けるステップを、更に含むことを特徴とする請求項３６に記載の方法。
【請求項３８】
封入部入口と封入部出口の間の内側空間内部で熱移動液体を患者身体と接触するように維持するステップを、更に含むことを特徴とする請求項３７に記載の方法。
【請求項３９】
封入部入口と封入部出口が患者身体の概略対向する側面に配置されるように、概略封入部入口と封入部出口との間の内側空間内部に患者身体を配置するステップを、更に含むことを特徴とする請求項３８に記載の方法。
【請求項４０】
患者身体への圧縮力を熱移動液体として加えるステップが、熱移動液体を封入部の内側空間を経由して流すように仕向けるステップであることを特徴とする請求項３７に記載の方法。